【手続補正書】
【提出日】平成28年10月7日(2016.10.7)
【手続補正１】
【補正対象書類名】特許請求の範囲
【補正対象項目名】全文
【補正方法】変更
【補正の内容】
【特許請求の範囲】
【請求項１】
−ポンプケーシング（１）であって、中心軸と、中心軸に配置された血流吸入口と、ポンプケーシングの円周上に配置された血流吐出口（２１）と、を有するポンプケーシング（１）と、
−ポンプケーシングの中に、前記中心軸の周囲で回転可能で、限定された軸方向の空隙と限定された半径方向の空隙内で軸方向と半径方向に自由に移動可能となるように配置された羽根車（９）であって、永久磁石または永久的に磁化された磁性領域（Ｎ／Ｓ）が設けられ、半径方向に延びて、それらの間に半径方向の血流のための通路を画定する羽根（１５）がさらに設けられている羽根車（９）と、
−羽根車の磁石または磁化領域（Ｎ／Ｓ）と協働して、羽根車を前記中心軸の周囲で回転させるようになされた電磁ドライブ（５）と、
を含む、機械的軸受を持たない遠心血液ポンプにおいて、
前記半径方向の空隙が１００μｍ以下で、羽根車のための動圧ラジアル軸受を形成し、羽根車の外周（１７、１８、２２）と、
（ａ）ポンプケーシングの中で前記中心軸の周囲に円形に配置され、血液が羽根車（９）から血流吐出口（２１）に向かって流れるための、円周方向に離間された複数の貫通穴（１３）を有する壁（１２）または
（ｂ）ポンプケーシングの中で前記中心軸の周囲に円形に配置された、軸方向に延び、離間された複数の壁パーツであって、壁パーツ間に、血液が羽根車（９）から血流吐出口（２１）へと流れるための貫通穴（１３）を提供する複数の壁パーツまたは
（ｃ）上側円形壁パーツと下側円形壁パーツを含む複数の壁パーツであって、上側および下側円形壁パーツが軸方向に離間されて、血液が羽根車（９）から血流吐出口（２１）へと流れるための、１つの連続的な円周方向の貫通穴（１３）を形成する複数の壁パーツ
の内面によって画定されることを特徴とする遠心血液ポンプ。
【請求項２】
請求項１に記載の遠心血液ポンプにおいて、
半径方向の空隙が、羽根車の回転方向に見た時に、半径方向に収束する複数の空隙区間（１４）を含むことを特徴とする遠心血液ポンプ。
【請求項３】
請求項１または２に記載の遠心血液ポンプにおいて、
電磁ドライブが、強磁性体コアを持たない複数のコイル（５）を含み、コイルが羽根車（９）から軸方向に離間された平面内に配置されることを特徴とする遠心血液ポンプ。
【請求項４】
請求項１〜３の何れか１項に記載の遠心血液ポンプにおいて、
電磁ドライブは、羽根車の両側において羽根車（９）から軸方向に離間された平面内に配置された複数のコイル（５）を含むことを特徴とする遠心血液ポンプ。
【請求項５】
請求項３または４に記載の遠心血液ポンプにおいて、
コイル（５）がポリママトリクスの中に埋め込まれることを特徴とする遠心血液ポンプ。
【請求項６】
請求項３〜５の何れか１項に記載の遠心血液ポンプにおいて、
コイル（５）がセラミック板（６）の上に、それと一体の構成部品を形成するように直接または間接的に取り付けられ、セラミック板が前記軸方向の空隙を限定することを特徴とする遠心血液ポンプ。
【請求項７】
請求項１〜６の何れか１項に記載の遠心血液ポンプにおいて、
半径方向の空隙が５０μｍ以下であることを特徴とする遠心血液ポンプ。
【請求項８】
請求項１〜６の何れか１項に記載の遠心血液ポンプにおいて、
前記壁（１２）または複数の壁パーツが、血液が羽根車（９）から血流吐出口（２１）へと流れるための、円周方向に離間された複数の貫通穴（１３）を提供し、隣接する２つの貫通穴（１３）間のすべての距離が羽根車の羽根（１５）の隣接する半径方向外端間のすべての距離より小さいことを特徴とする遠心血液ポンプ。
【請求項９】
請求項１〜８の何れか１項に記載の遠心血液ポンプにおいて、
羽根車（９）が軸方向に離間された第一のディスク（１０）と第二のディスク（１０）を含み、各ディスクが磁気領域と、血液が第一と第二のディスクを通って軸方向に流れるように配置された中央穴（７）と、を有し、羽根車（９）の羽根（１５）がディスク（１０）間に配置されることを特徴とする遠心血液ポンプ。
【請求項１０】
請求項９に記載の遠心血液ポンプにおいて、
羽根（１５）が、羽根（１５）の軸方向の片側または軸方向の両側から軸方向に延び、前記第一と第二のディスク（１０）の少なくとも一方または両方の外周を取り囲む少なくとも１つの円形縁（１７、１８）によって一体に接続され、前記円形縁（１７、１８）が羽根車（９）の前記外周の一部または全部を形成することを特徴とする遠心血液ポンプ。
【請求項１１】
請求項９に記載の遠心血液ポンプにおいて、
前記第一と第二のディスク（１０）の少なくとも一方または両方が、羽根車（９）の前記外周の一部または全部を形成する円形の外周を有することを特徴とする遠心血液ポンプ。
【請求項１２】
請求項９〜１１の何れか１項に記載の遠心血液ポンプにおいて、
第一と第二のディスク（１０）の、軸方向に相互に反対に面する表面が平坦であり、各々、隣接する平坦壁（６）から軸方向に離間されて、血液がディスクの平坦面と隣接する平坦な壁（６）の間に流れることができることを特徴とする遠心血液ポンプ。
【請求項１３】
請求項９〜１１の何れか１項に記載の遠心血液ポンプにおいて、
第一と第二のディスク（１０）の、軸方向に相互に反対に面する表面が各々、ポンプケーシング（１）により提供されるか、その中に配置される隣接する壁（６）から軸方向に離間されて、血液がディスク表面と隣接する壁の間に流れることができ、ディスク表面の一方または両方および／または隣接する壁の一方または両方が、中心軸の周囲で円周方向に延びる傾斜部を提供して、羽根車が回転した時に、羽根車をそれぞれの隣接する壁（６）から上昇させる軸方向の流体力を生成することを特徴とする遠心血液ポンプ。
【請求項１４】
請求項１〜６の何れか１項に記載の遠心血液ポンプにおいて、
羽根車（９）が、血液がディスクを通って軸方向に流れるように配置された中央穴（７）を有するディスク（１０）を含み、羽根車の羽根（１５）がディスク（１０）の軸方向の両側から軸方向に延び、磁石として形成されるか、磁気領域（Ｎ／Ｓ）を有することを特徴とする遠心血液ポンプ。
【請求項１５】
請求項１４に記載の遠心血液ポンプにおいて、
前記壁（１２）または複数の壁パーツが、血液が羽根車（９）から血流吐出口（２１）へと流れるための、円周方向に離間された複数の貫通穴（１３）を提供し、隣接する２つの貫通穴（１３）間のすべての距離が羽根車の羽根（１５）の半径方向外端間のすべての距離より小さいことを特徴とする遠心血液ポンプ。
【請求項１６】
請求項１４または１５に記載の遠心血液ポンプにおいて、
ディスク（１０）が円形の半径方向外面を有し、前記壁が半径方向内側に延びて、ディスクの円形の半径方向外面と共に前記動圧ラジアル軸受を形成することを特徴とする遠心血液ポンプ。
【請求項１７】
請求項１４〜１６の何れか１項に記載の遠心血液ポンプにおいて、
羽根車の羽根（１５）が、ポンプケーシング（１）によって提供される、またはその中に配置される隣接する壁から軸方向に離間された上面および下面（２５）を有して、血液が前記上および下面と隣接する壁との間に流れることができるようになっており、前記上および下面の何れかまたは両方が、中心軸の周囲に円周方向に延びる傾斜部を提供して、羽根車が回転した時に羽根車をそれぞれの隣接する壁から浮上させる軸方向の流体力を生成することを特徴とする遠心血液ポンプ。
【請求項１８】
請求項１７に記載の遠心血液ポンプにおいて、
羽根車の羽根（１５）の上および下面（２５）の１つまたはそれ以上の傾斜部が、羽根車の回転方向に見た時に、湾曲した、またはテーパが付けられていることを特徴とする遠心血液ポンプ。
【請求項１９】
請求項１４〜１８の何れか１項に記載の遠心血液ポンプにおいて、
ディスク（１０）が円形に配置された軸方向の複数の貫通穴を有し、羽根（１５）が円形に配置された貫通穴に挿入されて、ディスクの軸方向の片側から軸方向のその反対側へと延びることを特徴とする遠心血液ポンプ。
【請求項２０】
請求項１９に記載の遠心血液ポンプにおいて、
ディスク（１０）がポリマ材料を含むか、全体がそれにより作製されることを特徴とする遠心血液ポンプ。
【請求項２１】
請求項１４〜１８の何れか１項に記載の遠心血液ポンプにおいて、
ディスク（１０）と羽根（１５）が２つのセミシェル（２６、２７）で構成され、その中に磁石が格納されることを特徴とする遠心血液ポンプ。
【請求項２２】
請求項１〜２１の何れか１項に記載の遠心血液ポンプにおいて、
羽根車（９）の羽根（１５）が相互に一体の射出成形部品（１１）として形成されることを特徴とする遠心血液ポンプ。
【請求項２３】
請求項１４〜１９の何れか１項に記載の遠心血液ポンプにおいて、
ディスク（１０）と羽根（１５）の両方が磁化された強磁性材料で作製されることを特徴とする遠心血液ポンプ。
【請求項２４】
請求項１４〜１８の何れか１項に記載の遠心血液ポンプにおいて、
ディスク（１０）と羽根（１５）が強磁性材料の一体部品として形成され、前記部品がディスク（１０）を含め、磁化されることを特徴とする遠心血液ポンプ。
【請求項２５】
請求項１〜２４の何れか１項に記載の遠心血液ポンプにおいて、
羽根車の羽根（１５）の少なくとも１枚または全部の半径方向の寸法が円周方向に増大し、これらの羽根の半径方向外面（２２）が羽根車（９）の前記外周の一部または全部を形成することを特徴とする遠心血液ポンプ。
【請求項２６】
請求項１〜２５の何れか１項に記載の遠心血液ポンプにおいて、
羽根車（９）の羽根（１５）が、羽根車の回転方向に見た時に、その半径方向の範囲に関して突出している前端面（２２ａ）を有することを特徴とする遠心血液ポンプ。
【請求項２７】
請求項１〜２６の何れか１項に記載の遠心血液ポンプにおいて、
羽根車（９）の羽根（１５）が、羽根車の回転方向に見た時に、湾曲した、またはテーパの付けられた、軸方向に延びる前端縁（２３）を有することを特徴とする遠心血液ポンプ。
【請求項２８】
請求項１〜２７の何れか１項に記載の遠心血液ポンプにおいて、
羽根車（９）のアスペクト比が４：１（直径：高さ）以上であることを特徴とする遠心血液ポンプ。
【請求項２９】
請求項１〜２８の何れか１項に記載の遠心血液ポンプにおいて、
各々が北極（Ｎ）と南極（Ｓ）を有する第一の磁石または磁気領域と第二の磁石または磁気領域が１つの羽根車の羽根（１５）にまとめられ、第一の磁石または磁気領域の北極と南極が、第二の磁石または磁気領域の北極と南極に関して上下逆に配置されることを特徴とする遠心血液ポンプ。
【請求項３０】
請求項１〜２９の何れか１項に記載の遠心血液ポンプにおいて、
磁石または磁気領域がポリマまたは金属、例えばチタンまたは生体適合貴金属で全体に被覆され、コーティングの厚さは５０μｍ以下であることを特徴とする遠心血液ポンプ。
【請求項３１】
請求項１〜３０の何れか１項に記載の遠心血液ポンプにおいて、
血流吐出口（２１）がポンプケーシングの円周上に接線方向に配置されることを特徴とする遠心血液ポンプ。
【請求項３２】
請求項１〜３１の何れか１項に記載の遠心血液ポンプにおいて、
前記壁（１２）または壁パーツの周辺に配置されたリング状ディフューザ（２０）を含むことを特徴とする遠心血液ポンプ。
【請求項３３】
請求項１〜３２の何れか１項に記載の遠心血液ポンプにおいて、
前記壁（１２）または複数の壁パーツが、血液が羽根車（９）から血流吐出口（２１）へと流れるための、円周方向に離間された複数の貫通穴（１３）または１つのリング状の穴を提供し、貫通穴（１３）またはリング状の穴の断面が半径方向外側に向かって増大することを特徴とする遠心血液ポンプ。
【請求項３４】
請求項３３に記載の遠心血液ポンプにおいて、
貫通穴（３）とリング状の穴の開口角度が７°を超えないことを特徴とする遠心血液ポンプ。
【請求項３５】
請求項３３または３４に記載の遠心血液ポンプにおいて、
壁（１２）または複数の壁パーツの厚さが少なくとも２ｍｍであることを特徴とする遠心血液ポンプ。
【請求項３６】
請求項３３〜３５の何れか１項に記載の遠心血液ポンプにおいて、
貫通穴（１３）が異なる高さ、幅または直径を有することを特徴とする遠心血液ポンプ。
【請求項３７】
請求項３３〜３６の何れか１項に記載の遠心血液ポンプにおいて、
壁（１２）の厚さが壁（１２）の円周に沿って変化することを特徴とする遠心血液ポンプ。